(57)【要約】【課題】照明器具と明るさセンサの割り付けを自動化できる照明システム及び明るさ検知センサを提供する。【解決手段】明るさセンサ制御部１２ｂは、割り付けテーブル１１ａを参照し、照明器具制御部１２ａに対して、グループごとに、当該グループに含まれる各照明器具２の発光量を所定量だけ変化させるように指示する。照明器具制御部１２ａは、明るさセンサ制御部１２ｂからの指示に応じて、照明器具２ごとに発光量を所定量だけ変化させる。明るさセンサ制御部１２ｂは、照明器具制御部１２ａにより発光量が所定量だけ変化された当該照明器具２と同一グループの各明るさセンサ３が検知した明るさの変化量を比較した結果、最大の変化量に該当する明るさセンサ３を、当該照明器具２に対応付ける。【選択図】図２
2016066479.tif 000002
【特許請求の範囲】
【請求項１】
照明器具と；
前記照明器具と同グループに設定され、明るさを検知する複数のセンサを有する明るさ検知装置と；
を具備し、
前記複数のセンサのうち、前記照明器具の発光量を所定量だけ変化させたときに検知する明るさの変化量が最大である所定のセンサを、前記照明器具の調光制御に用いる
照明システム。
【請求項２】
明るさを検知する複数の明るさセンサ；
を具備し、
照明器具及び前記明るさセンサとグループをなし、当該グループにおいて、前記照明器具の発光量が所定量だけ変化されたときに検知する明るさの変化量が最大である明るさセンサを前記照明器具に対応付け、この対応付けられた明るさセンサにより検知される明るさが、前記照明器具の調光制御に用いられる
明るさ検知装置。
【発明の詳細な説明】
【技術分野】
【０００１】
本発明の実施形態は、照明システム及び明るさ検知装置に関する。
【背景技術】
【０００２】
従来、建物の天井に、照明器具とともに明るさセンサを設置し、明るさセンサにより検知した明るさに応じて照明器具を調光制御する照明システムがある。例えば、照明システムは、明るさセンサにより検知される明るさを一定に維持するように照明器具を調光制御する。
【０００３】
しかしながら、明るさセンサの周囲に配置された複数の照明器具の配光が明るさセンサにより検出される比率が不明であることが多い。すなわち、検知する明るさに応じて照明器具を適切に調光制御できる明るさセンサと照明器具との対応関係が、不明である。よって、照明器具と明るさセンサとの対応付けは、照明器具及び明るさセンサが配置された後の割り付け作業によって行われている。しかし、割り付け作業は、多くの時間を要するという問題がある。
【先行技術文献】
【特許文献】
【０００４】
【特許文献１】特開２００３−１００４７０号公報
【発明の概要】
【発明が解決しようとする課題】
【０００５】
本発明が解決しようとする課題は、照明器具への明るさセンサの割り付けを自動化できる照明システム及び明るさ検知装置を提供することである。
【課題を解決するための手段】
【０００６】
実施形態の一例に係る照明システムは、照明器具と、前記照明器具と同グループに設定され、明るさを検知する複数のセンサを有する明るさ検知装置とを具備し、前記複数のセンサのうち、前記照明器具の発光量を所定量だけ変化させたときに検知する明るさの変化量が最大である所定のセンサを、前記照明器具の調光制御に用いる。
【発明の効果】
【０００７】
実施形態の一例に係る照明システム及び明るさ検知装置によれば、照明器具への明るさセンサの割り付けを自動化できる。
【図面の簡単な説明】
【０００８】
【図１】図１は、実施形態１に係る照明システムの構成の一例を示すブロック図である。
【図２】図２は、実施形態１に係る制御装置の構成の一例を示すブロック図である。
【図３】図３は、実施形態１に係る割り付けテーブルの一例を示す図である。
【図４】図４は、実施形態１に係る制御装置における割り付け処理の一例を示すフローチャートである。
【図５】図５は、実施形態１に係る制御装置における調光制御処理の一例を示すフローチャートである。
【図６】図６は、実施形態１に係る割り付け処理の具体的一例を示す図である。
【図７】図７は、実施形態１のシステム天井への適用例１を示す図である。
【図８】図８は、実施形態１のシステム天井への適用例２を示す図である。
【図９】図９は、実施形態２に係る照明システムの構成の一例を示すブロック図である。
【図１０】図１０は、実施形態２に係る明るさ検知装置の構成の一例を示すブロック図である。
【図１１】図１１は、実施形態２に係る割り付けテーブルの一例を示す図である。
【図１２】図１２は、実施形態２に係る明るさ検知装置における割り付け処理の一例を示すフローチャートである。
【図１３】図１３は、実施形態２のシステム天井への適用例１を示す図である。
【図１４】図１４は、実施形態２のシステム天井への適用例２を示す図である。
【発明を実施するための形態】
【０００９】
以下、図面を参照して、実施形態に係る照明システム及び明るさ検知装置を説明する。実施形態において同一の機能を有する構成には同一の符号を付し、重複する説明は省略する。なお、以下の実施形態で説明する照明システム及び明るさ検知装置は、一例を示すに過ぎず、実施形態を限定するものではない。例えば、以下の実施形態では、照明システムは、建物の天井に設置される照明器具及び明るさ検知装置を含む。なお、以下の各実施形態は、矛盾しない範囲内で適宜組みあわせてもよい。
【００１０】
以下の第１の実施態様に係る照明システムは、照明器具と、前記照明器具と同グループに設定され、明るさを検知する複数のセンサを有する明るさ検知装置とを具備し、前記複数のセンサのうち、前記照明器具の発光量を所定量だけ変化させたときに検知する明るさの変化量が最大である所定のセンサを、前記照明器具の調光制御に用いる。
【００１１】
また、以下の第２の実施態様に係る明るさ検知装置は、明るさを検知する複数の明るさセンサを具備し、照明器具及び前記明るさセンサとグループをなし、当該グループにおいて、前記照明器具の発光量が所定量だけ変化されたときに検知する明るさの変化量が最大である明るさセンサを前記照明器具に対応付け、この対応付けられた明るさセンサにより検知される明るさが、前記照明器具の調光制御に用いられる。
【００１２】
［実施形態１］
（実施形態１に係る照明システムの構成）
図１は、実施形態１に係る照明システムの構成の一例を示すブロック図である。実施形態１に係る照明システム１Ａは、制御装置１０Ａ、複数の照明器具２（２−１、２−２、・・・）、複数の明るさ検知装置５（５−１、５−２、・・・）を有する。照明システム１Ａにおいて、複数の照明器具２及び複数の明るさ検知装置５は、２線伝送線で、制御装置１０Ａの直下の同一階層おいて制御装置１０Ａと接続される。
【００１３】
各明るさ検知装置５には、少なくとも２つ以上の複数の明るさセンサ３、例えば実施形態１では４つの明るさセンサ３−１、３−２、３−３、３−４が配設されている。複数の明るさセンサ３は、所定の検出範囲の明るさを検出する。
【００１４】
制御装置１０Ａは、オフィスや各種施設等の照明エリアごとに設置される複数の照明器具２の点灯を遠隔制御する。また、制御装置１０Ａは、複数の明るさ検知装置５を遠隔制御する。複数の照明器具２は、光源として、例えばＬＥＤ（Light  Emitting  Diodes）等の半導体発光素子を有する。
【００１５】
（実施形態１に係る制御装置の構成）
図２は、実施形態１に係る制御装置の構成の一例を示すブロック図である。実施形態１に係る制御装置１０Ａは、記憶部１１、制御部１２を有する。記憶部１１は、割り付けテーブル１１ａを記憶する。
【００１６】
制御部１２は、照明器具制御部１２ａ、明るさセンサ制御部１２ｂを有する。照明器具制御部１２ａは、割り付けテーブル１１ａを参照し、各照明器具２に対応付けられた明るさ検知装置５が検知する明るさに応じて各照明器具２を調光制御する。例えば、照明器具制御部１２ａは、各照明器具２に対応付けられた明るさ検知装置５が検知する明るさが一定となるように各照明器具２を調光制御する。
【００１７】
明るさセンサ制御部１２ｂは、照明器具２と、明るさセンサ３と、明るさ検知装置５との組合せをグループとし、明るさ検知装置と明るさセンサ３とを対応付ける。なお、複数の照明器具２、複数の明るさセンサ３、明るさ検知装置５のグループ分けを、「グループ分け処理」と呼ぶ。
【００１８】
実施形態１では、例えば、明るさセンサ制御部１２ｂは、所定の各領域内に配置された照明器具２及び明るさ検知装置５を１つのグループとする。そして、明るさセンサ制御部１２ｂは、複数の明るさセンサ３のうちの一つと明るさ検知装置５と対応付けた結果を割り付けテーブル１１ａへ登録する。
【００１９】
また、明るさセンサ制御部１２ｂは、割り付けテーブル１１ａを参照し、照明器具制御部１２ａに対して、グループごとに、当該グループに含まれる各照明器具２の発光量を所定量だけ変化させるように指示する。照明器具制御部１２ａは、明るさセンサ制御部１２ｂからの指示に応じて、照明器具２の発光量を所定量だけ変化させる。そして、明るさセンサ制御部１２ｂは、照明器具制御部１２ａにより発光量が所定量だけ変化された当該照明器具２と同一グループの各明るさ検知装置５の明るさセンサ３が検知した明るさの変化量を比較する。
【００２０】
そして、明るさセンサ制御部１２ｂは、当該照明器具２の発光量が所定量だけ変化された際に各明るさセンサ３が検知した明るさの変化量の比較の結果、最大の変化量に該当する明るさセンサ３を、当該明るさ検知装置５に対応付ける。つまり、照明器具２と明るさセンサ３とを対応付ける。そして、明るさセンサ制御部１２ｂは、明るさ検知装置５と明るさセンサ３との対応付けの結果、当該明るさセンサ３に対応する「明るさセンサＩＤ」を割り付けテーブル１１ａへ、当該照明器具２及び明るさ検知装置５に対応付けて登録する。明るさセンサ制御部１２ｂによる明るさ検知装置５、照明器具２及び明るさセンサ３の対応付けを、実施形態１に係る「割り付け処理」と呼ぶ。明るさセンサ制御部１２ｂは、全ての明るさ検知装置５について割り付け処理を行って、明るさセンサ３の対応付けを行う。
【００２１】
そして、明るさセンサ制御部１２ｂは、照明器具２と、明るさ検知装置５と、明るさセンサ３との対応付けを、全てのグループについて行う。以後、照明器具制御部１２ａは、各照明器具２の調光制御を、割り付けテーブル１１ａにおいて照明器具２、明るさ検知装置５に対応付けられている明るさセンサ３が検知する明るさに応じて行う。
【００２２】
なお、割り付け処理は明るさ検知装置５または一つまたは複数の照明器具２で構成されるグループに割り付けるようにしてもよい。すなわち、一つの制御単位に少なくとも一つの明るさセンサ３を割り付けるようにする。
【００２３】
（実施形態１に係る割り付けテーブル）
図３は、実施形態１に係る割り付けテーブルの一例を示す図である。実施形態１に係る割り付けテーブル１１ａは、「グループＩＤ」「照明器具ＩＤ」「明るさ検知装置ＩＤ」「明るさセンサＩＤ」のカラムを有する。なお、図３に示す割り付けテーブル１１ａは、グループ分け処理後、割り付け処理前の状態では、全てのエントリについて「明るさセンサＩＤ」が“Ｎｕｌｌ”である。
【００２４】
例えば、図３の例では、「グループＩＤ」“１”のグループは、「照明器具ＩＤ」“２−ａ”“２−ｂ”“２−ｃ”“２−ｄ”の照明器具２、「明るさ検知装置ＩＤ」“５−１”の明るさ検知装置５を含む。例えば、明るさセンサ制御部１２ｂにより、「グループＩＤ」“１”のグループに対して割り付け処理が行われ、「グループＩＤ」“１”のグループと、「明るさセンサＩＤ」“３−ａ”の明るさセンサ３とが対応付けられると、該当するエントリの「明るさセンサＩＤ」が“３−ａ”となる。そして、残りの明るさセンサＩＤは“Ｎｕｌｌ”である。つまり、割り付けテーブル１１ａでは、照明器具２−a、２−ｂ、２−ｃ、２−ｄと明るさ検知装置ＩＤ５−１とが予め設定されており、割り付け処理によって、明るさセンサＩＤ“３−ａ”が照明器具２−a、２−ｂ、２−ｃ、２−ｄおよび明るさ検知装置ＩＤ“５−１”に割り付けられる。
【００２５】
（実施形態１に係る割り付け処理）
図４は、実施形態１に係る制御装置における割り付け処理の一例を示すフローチャートである。実施形態１に係る割り付け処理は、照明器具２、明るさセンサ３、明るさ検知装置５の新設時、増設時、減設時に、若しくは、定期的に実行されてもよい。
【００２６】
先ず、制御装置１０Ａの明るさセンサ制御部１２ｂは、図示しない操作端末等による指示によって照明器具２と明るさ検知装置５とのグループ分け処理を行う（ステップＳ１１）。次に、明るさセンサ制御部１２ｂは、グループ分け処理後の割り付けテーブル１１ａから未選択のグループを選択する（ステップＳ１２）。次に、明るさセンサ制御部１２ｂは、制御装置１０Ａの照明器具制御部１２ａに、ステップＳ１２で選択したグループ内の照明器具２の発光量を所定量変化させる（ステップＳ１３）。
【００２７】
次に、明るさセンサ制御部１２ｂは、ステップＳ１２で選択したグループ内の各照明器具２の発光量を所定量変化させた際の、各明るさセンサ３が検知した明るさの変化量を測定する（ステップＳ１４）。次に、明るさセンサ制御部１２ｂは、割り付けテーブル１１ａにおいて、ステップＳ１４で測定した明るさの変化量が最大の明るさセンサ３の明るさセンサＩＤを、当該照明器具２が属するグループの「明るさセンサＩＤ」へ登録する（ステップＳ１５）。
【００２８】
次に、明るさセンサ制御部１２ｂは、割り付けテーブル１１ａにおいて、ステップＳ１２による未選択のグループがあるか否かを判定する（ステップＳ１６）。明るさセンサ制御部１２ｂは、割り付けテーブル１１ａにおいて、未選択のグループがあると判定した場合（ステップＳ１６Ｙｅｓ）にステップＳ１２へ処理を移し、未選択のグループがないと判定した場合（ステップＳ１６Ｎｏ）に割り付け処理を終了する。
【００２９】
（実施形態１に係る調光制御処理）
図５は、実施形態１に係る制御装置における調光制御処理の一例を示すフローチャートである。「調光制御処理」は、割り付けテーブル１１ａにおける同一グループの照明器具２の点灯時に実行される。
【００３０】
先ず、制御装置１０Ａの照明器具制御部１２ａは、割り付けテーブル１１ａを参照し、点灯した照明器具２が含まれるグループに対応付けられる「明るさセンサＩＤ」に該当する明るさセンサ３を選択する（ステップＳ２１）。次に、照明器具制御部１２ａは、ステップＳ２１で選択した明るさセンサ３が検知した明るさに応じて各照明器具２を調光制御する（ステップＳ２２）。次に、照明器具制御部１２ａは、点灯した照明器具２を消灯するか否かを判定する（ステップＳ２３）。照明器具制御部１２ａは、点灯した照明器具２を消灯すると判定した場合（ステップＳ２３Ｙｅｓ）に調光制御処理を終了し、点灯した照明器具２を消灯しないと判定した場合（ステップＳ２３Ｎｏ）にステップＳ２２へ処理を移す。
【００３１】
（実施形態１に係る割り付け処理の具体的一例）
図６は、実施形態１に係る割り付け処理の具体的一例を示す図である。図６は、実施形態１に係る割り付け処理の具体的一例を簡略して示す。図６では、建物の天井に、異なるグループに属する、２つの照明器具２（照明器具２ａ及び照明器具２ｂ）と、２つの明るさセンサ３（明るさセンサ３ａ−１及び明るさセンサ３ａ−２）が、図示のように設置される例を示す。なお、図６では、照明器具２ａ及び照明器具２ｂ以外の光はないと仮定する。
【００３２】
例えば、照明器具２ａ及び照明器具２ｂが、１００％の調光度で点灯しているときは、照明器具２ａ及び照明器具２ｂそれぞれの配光範囲が、図６のハッチングで示すようになっており、一部重複している。このとき、実際には明るさセンサ３ａ−１、３ａ−２いずれも照明器具２ａ、２ｂの影響を受け得るが、明るさセンサ３ａ−１の方がその干渉の影響が小さいものとし、以下、簡単のため、明るさセンサ３ａ−１は、照明器具２ａの配光のみによる明るさを検知する一方、明るさセンサ３ａ−２は、照明器具２ａ及び照明器具２ｂの両方の配光による明るさを検知するものとして説明する。
【００３３】
そして、照明器具２ａを０％の調光度とする（すなわち消灯する）と、明るさセンサ３ａ−１は、検知する明るさが０となる。一方、明るさセンサ３ａ−２は、照明器具２ｂの配光による明るさを検知する。すなわち、照明器具２ａを消灯した場合、検知する明るさの変化量は、明るさセンサ３ａ−２よりも明るさセンサ３ａ−１の方が大きい。よって、照明器具２ａに明るさセンサ３ａ−１を割り付け、明るさセンサ３ａ−１により検知される明るさに応じて照明器具２ａを調光制御することで、照明器具２ｂの配光による外乱要因を排除して、より適切に照明器具２ａの調光制御を行うことができる。
【００３４】
（実施形態１の変形形態）
実施形態１では、各明るさセンサ３は、制御装置１０Ａで割り付け設定される場合について説明したが、明るさ検知装置５で割り付け設定を行ってもよい。つまり、割り付けテーブル１１ａのうち、明るさ検知装置ＩＤと明るさセンサＩＤとの対応付けを明るさ検知装置５が保持する構成であってもよい。
【００３５】
（実施形態１のシステム天井への適用例１）
図７は、実施形態１のシステム天井への適用例１を示す図である。図７は、建物の天井を下方から見た図である。システム天井は、グリッド天井とも呼ばれ、グリッド状のフレームを天井側へ設け、フレームのグリッドのサイズに規格化されたモジュールを各グリッドへ取り付けることにより天井を形成する手法である。モジュールは、照明器具及び／又は明るさセンサが搭載された照明ユニット、又は、天井板である。
【００３６】
図７に示す例では、ユニットＵ１は、照明器具２が搭載された照明ユニットであり、ユニットＵ２は、４つの明るさセンサ３を含む明るさ検知装置５が搭載された照明器具２（２ｘ）で構成された照明ユニットである。図７に示す例では、３つのユニットＵ１及び１つのユニットＵ２がフレームに取り付けられ、システム天井Ｓ１の１グループを構成する。そして、天井面の裏面において、複数の照明器具２及び複数の明るさセンサ３が、図１に概念的に示すように制御装置１０Ａに対して直列接続される。
【００３７】
そして、図７に示す例では、４つの照明器具２と、１つの明るさ検知装置５がグループをなし、制御装置１０Ａが、このグループに対して割り付け処理を行う。これにより、各照明器具２を調光制御する際に、適切な明るさセンサ３で検知した明るさの値を用いることができ、より適切に調光制御を行うことができる。つまり、システム天井等のように複数の照明器具２と明るさ検知装置５とを１グループとして設定し配設する場合、必ずしも対称性のよい位置に明るさ検知装置５を配置することはできない。このような場合、明るさ検知装置５に検知範囲が異なる複数の明るさセンサ３を実装しておくことで、実際にユニットを配置した後に所望のセンサを割り付けることができる。
【００３８】
なお、図７に示す、ユニットＵ１及びユニットＵ２の数、ユニットＵ１及びユニットＵ２の配置態様、並びに、ユニットＵ１及びユニットＵ２へ搭載される照明器具２及び明るさセンサ３の数は、適宜変更可能である。
【００３９】
（実施形態１のシステム天井への適用例２）
図８は、実施形態１のシステム天井への適用例２を示す図である。図８に示す例では、ユニットＵ３は、照明器具２及び明るさ検知装置５が搭載された照明ユニットである。図８に示す例では、９つのユニットＵ３がフレームに取り付けられ、システム天井Ｓ２を形成する。そして、天井面の裏面において、複数の照明器具２及び複数の明るさ検知装置５が、図１に概念的に示すように制御装置１０Ａに対して直列接続される。そして、所定の各領域内に配置される照明器具２及び明るさ検知装置５を１つのグループとし、各グループに対して所望の明るさセンサ３の割り付け処理を行う。
【００４０】
なお、図８に示す、ユニットＵ３の数、ユニットＵ３の配置態様、並びに、ユニットＵ３へ搭載される照明器具２及び明るさセンサ３の数は、適宜変更可能である。
【００４１】
［実施形態２］
（実施形態２に係る照明器具の構成）
図９は、実施形態２に係る照明システムの構成の一例を示すブロック図である。実施形態２に係る照明システム１Ｂは、制御装置１０Ｂ、複数の照明器具４（４−１、４−２、・・・）、複数の明るさ検知装置１５（１５−１、１５−２、・・・）を有する。照明システム１Ｂにおいて、複数の明るさ検知装置１５が、２線伝送線で、制御装置１０Ｂの直下の階層において制御装置１０Ｂと接続され、複数の照明器具４が、２線伝送線で、明るさ検知装置１５の直下の階層おいて各明るさ検知装置１５と接続される。すなわち、照明システム１Ｂにおいて、明るさ検知装置１５をマスターとし、照明器具４をスレーブとして、複数の明るさ検知装置１５及び複数の照明器具４は、制御装置１０Ｂに対してマスタースレーブ接続される。
【００４２】
なお、明るさ検知装置１５−１と接続される照明器具４−１〜４−４は、明るさ検知装置１５−１の近傍へ配置され、明るさ検知装置１５−１及び照明器具４−１〜４−４は、同一のグループに属する。また、明るさ検知装置１５−２と接続される照明器具４−５〜４−８は、明るさ検知装置１５−２の近傍へ配置され、明るさ検知装置１５−２及び照明器具４−４〜４−８は、同一のグループに属する。
【００４３】
制御装置１０Ｂは、複数の照明器具４の点灯を、各明るさ検知装置１５を介して遠隔制御する。また、制御装置１０Ｂは、複数の明るさ検知装置１５を遠隔制御する。なお、照明器具４の点灯制御は、各明るさ検知装置１５により行われてもよい。複数の照明器具４は、光源として、例えばＬＥＤ等の半導体発光素子を有する。複数の明るさ検知装置１５は、明るさの検出範囲が異なる複数の明るさセンサを有し、所定の検出範囲の明るさを検出する。なお、明るさ検知装置１５は、明るさを検知する複数の検知部を有する明るさ検知センサである。
【００４４】
（実施形態２に係る明るさ検知装置の構成）
図１０は、実施形態２に係る明るさ検知装置の構成の一例を示すブロック図である。実施形態２に係る明るさ検知装置１５は、記憶部１１−１、制御部１２−１、複数の明るさセンサ１３−１〜１３−４、通信部１４を有する。複数の明るさセンサ１３−１〜１３−４を、明るさセンサ１３と総称する。記憶部１１−１は、割り付けテーブル１１ａ−１を記憶する。通信部１４は、制御装置１０Ｂ及び明るさ検知装置１５の配下に接続される照明器具４と通信する。なお、実施形態２では、明るさ検知装置１５は、４つの明るさセンサ１３−１〜１３−４を有するが、これに限らず少なくとも２つ以上の任意の数の明るさセンサを有するとしてもよい。また、明るさ検知装置１５の配下に接続される複数の照明器具４は、明るさ検知装置１５とともに対応づけられた１つのグループを構成する。
【００４５】
制御部１２−１は、明るさセンサ制御部１２ａ−１を有する。制御装置１０Ｂが、明るさ検知装置１５の配下に接続される全ての照明器具４の発光量を所定量だけ変化させるように指示すると、明るさ検知装置１５は、当該照明器具４の発光量を所定量だけ変化させる。そして、明るさセンサ制御部１２ａ−１は、制御装置１０Ｂにより当該照明器具４の発光量が所定量だけ変化された際に、当該照明器具４が接続される明るさ検知装置１５が有する明るさセンサ１３が検知した明るさの変化量を比較する。
【００４６】
そして、明るさセンサ制御部１２ａ−１は、明るさセンサ１３が検知した明るさの変化量の比較の結果、最大の変化量に該当する、明るさセンサ１３を、当該照明器具４に対応付ける。そして、明るさセンサ制御部１２ａ−１は、照明器具４及び明るさセンサ１３の対応付けの結果を、当該明るさセンサ１３に対応する「明るさセンサＩＤ」を割り付けテーブル１１ａ−１へ登録する。明るさセンサ制御部１２ａ−１による照明器具４及び明るさセンサ１３の対応付けを、実施形態２に係る「割り付け処理」と呼ぶ。
【００４７】
ここで、対応付けされなかったセンサ１３は以後の制御においては使用されない。つまり、明るさ検知装置１５は予め複数のセンサ１３を具備しており、センサ１３と照明器具との実際の配置関係によって、照明制御時に使用されるセンサ１３が選択されることになる。なお、センサ１３が検知した明るさの変化量がほぼ等しいセンサが複数ある場合には、割り付け処理によって割り付けられるセンサ１３は２つ以上であってもよい。
【００４８】
なお、各照明器具４の調光制御を明るさ検知装置１５が行う場合は、制御部１２−１が、割り付けテーブル１１ａ−１を参照して、各照明器具４に対応付けられている明るさセンサ１３が検知する明るさに応じて各照明器具４の調光制御を行う。
【００４９】
また、制御装置１０Ｂ又は明るさ検知装置１５が、各照明器具４の調光制御を行う際は、図５に示す実施形態１に係る調光制御処理と同様の処理を行う。
【００５０】
（実施形態２に係る割り付けテーブル）
図１１は、実施形態２に係る割り付けテーブルの一例を示す図である。実施形態２に係る割り付けテーブル１１ａ−１は、「照明器具ＩＤ」「明るさセンサＩＤ」のカラムを有する。なお、図１１に示す割り付けテーブル１１ａ−１の「明るさセンサＩＤ」が“Ｎｕｌｌ”である、割り付け処理前の状態を示す。割り付けテーブル１１ａ−１は、割り付け処理後、各「照明器具ＩＤ」に対応する「明るさセンサＩＤ」が登録される。
【００５１】
（実施形態２に係る割り付け処理）
図１２は、実施形態２に係る明るさ検知装置における割り付け処理の一例を示すフローチャートである。実施形態２に係る割り付け処理は、照明器具４、明るさ検知装置１５の新設時、増設時、減設時に、若しくは、定期的に実行されてもよい。
【００５２】
先ず、明るさ検知装置１５の明るさセンサ制御部１２ａ−１は、制御装置１０Ｂによって制御指示された照明器具４の発光量を所定量変化させる（ステップＳ３１）。
【００５３】
次に、明るさセンサ制御部１２ａ−１は、明るさセンサ１３が検知する明るさの変化量を測定する（ステップＳ３２）。次に、明るさセンサ制御部１２ａ−１は、割り付けテーブル１１ａ−１において、検知する明るさの変化量が最大の明るさセンサ１３の明るさセンサＩＤを、該当するエントリの「明るさセンサＩＤ」へ登録し（ステップＳ３３）、割り付け処理を終了する。
【００５４】
（実施形態２のシステム天井への適用例１）
図１３は、実施形態２のシステム天井への適用例１を示す図である。図１３に示す例では、ユニットＵ４は、照明器具４及び明るさ検知装置１５が搭載された照明ユニットである。図１３に示す例では、９つのユニットＵ４がフレームに取り付けられ、システム天井Ｓ３を形成する。そして、天井面の裏面において、複数の照明器具４及び複数の明るさ検知装置１５が、図９に概念的に示すように制御装置１０Ｂに対してマスタースレーブ接続される。そして、図１３に示す例では、明るさ検知装置１５が、各ユニットＵ４に対して割り付け処理を行う。
【００５５】
なお、図１３に示す、ユニットＵ４の数、ユニットＵ４の配置態様、並びに、ユニットＵ４へ搭載される照明器具４及び明るさ検知装置１５の数は、適宜変更可能である。
【００５６】
（実施形態２のシステム天井への適用例２）
図１４は、実施形態２のシステム天井への適用例２を示す図である。図１４に示す例では、ユニットＵ５は、照明器具４が搭載された照明ユニットであり、ユニットＵ６は、明るさ検知装置１５が搭載された照明ユニットである。図１４に示す例では、１２のユニットＵ５及び４つのユニットＵ６がフレームに取り付けられ、システム天井Ｓ４を形成する。そして、天井面の裏面において、複数の照明器具４及び明るさ検知装置１５が、図９に概念的に示すように制御装置１０Ｂに対してマスタースレーブ接続される。そして、図１４に示す例では、明るさ検知装置１５が、ユニットＵ５及びユニットＵ６に対して割り付け処理を行う。
【００５７】
つまり、例えば図１４に示す明るさ検知装置１５ａは、照明器具４ａ−１、４ａ−２、４ａ−３、４ａ−４、とともに１つの制御グループを構成する。同様に明るさ検知装置１５ｂ、１５ｃ、１５ｄも照明器具４ｂ−１〜４ｂ−４、４ｃ−１〜４ｃ−４、４ｄ−１〜４ｄ−４とそれぞれグループを構成する。そして、明るさ検知装置１５ａで代表して示すように、明るさ検知装置１５ａには４つの明るさセンサ１３ａ−１、１３ａ−２、１３ａ−３、１３ａ−４が設けられており、このうち明るさセンサ１３ａ−１のみが対応づけられている。他のユニットも同様に一つの制御グループに対して一つの明るさセンサ１３が対応付けられている。このように明るさ検知装置１５に複数の明るさセンサ１３を設けておき、実際の照明器具４との位置関係によって、どの明るさセンサ１３を使用するかを設定することによって、明るさセンサ１３を設置する場所や設定作業を簡素化することができる。
【００５８】
なお、図１４に示す、ユニットＵ５及びユニットＵ６の数、ユニットＵ５及びユニットＵ６の配置態様、並びに、ユニットＵ５及びユニットＵ６へ搭載される照明器具４及び明るさ検知装置１５の数は、適宜変更可能である。
【００５９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６０】
１Ａ、１Ｂ  照明システム
２、２ａ、２ｂ、２ｘ、４  照明器具
３、１３  明るさセンサ
５、５−１、５−２、１５、１５−１、１５−２、１５ａ、１５ｂ、１５ｃ、１５ｄ  明るさ検知装置
１０Ａ、１０Ｂ  制御装置
１１  記憶部
１１ａ、１１ａ−１  割り付けテーブル
１２  制御部
１２ａ  照明器具制御部
１２ａ−１、１２ｂ  明るさセンサ制御部
１４  通信部
Ｓ１、Ｓ２、Ｓ３、Ｓ４  システム天井
Ｕ１、Ｕ２、Ｕ３、Ｕ４  ユニット
【図１】
2016066479.tif 000003
【図２】
2016066479.tif 000004
【図３】
2016066479.tif 000005
【図４】
2016066479.tif 000006
【図５】
2016066479.tif 000007
【図６】
2016066479.tif 000008
【図７】
2016066479.tif 000009
【図８】
2016066479.tif 000010
【図９】
2016066479.tif 000011
【図１０】
2016066479.tif 000012
【図１１】
2016066479.tif 000013
【図１２】
2016066479.tif 000014
【図１３】
2016066479.tif 000015
【図１４】
2016066479.tif 000016